(57)【要約】【課題】患者を他の医療機関に紹介先する際に、患者の症例に応じて適切な処置を行う医療機関情報を提供する。【解決手段】医療機関の間で送受信される紹介状データを記憶部に蓄積し、蓄積されたデータを医療機関ごとに計数し、紹介件数に応じて医療機関に評価ポイントを与える。さらに紹介件数の時間的な増減の傾向を解析して紹介件数が増加傾向にあれば評価ポイントを高く与える。  評価ポイントの高い医療機関の情報を優先度を高くして医師に提供することにより、医師は患者の紹介先を適切に選択可能となる。【選択図】  図１
2008108077.tif 000002
【特許請求の範囲】
【請求項１】
医療機関が他の医療機関に患者を紹介したときの紹介事由および紹介先の医療機関を一レコードとして蓄積記憶している記憶部と、
前記紹介先の医療機関ごとに紹介事由が一致する前記記憶部のレコード数を計数する計数部と、
前記計数部にて計数したレコード数に基づき前記紹介先の医療機関ごとに前記紹介事由に適した紹介先であるかを示す評価ポイントを付与する評価部を有することを特徴とした医療機関評価装置。
【請求項２】
前記紹介事由は、紹介した患者の病名および紹介目的である請求項１に記載の医療機関評価装置。
【請求項３】
更に、医療機関に設置された端末から患者を紹介したときの紹介状データを受信して前記記憶部に少なくとも紹介状作成日、紹介事由および紹介先の医療機関の各情報を記憶させる紹介状データ取得部を有し、
前記計数部は、前記レコード数が所定期間に増加した紹介件数が第一の所定値以上であれば評価ポイントに加算される時間補正値を算出し、前記レコード数が所定期間に減少した紹介件数が第二の所定値以上であれば前記評価ポイントに減算される時間補正値を算出し、
前記評価部は、前記レコード数を前記時間補正値にて加算／減算して評価ポイントを付与する請求項１または請求項２に記載の医療機関評価装置。
【請求項４】
紹介状データを一括管理するセンタ装置と医療機関が所持している端末がネットワークを介して接続されている医療機関情報提供システムであって、
前記センタ装置は、医療機関が他の医療機関に患者を紹介したときの紹介事由および紹介先の医療機関を一レコードとして蓄積記憶している記憶部と、前記紹介先の医療機関ごとに前記紹介事由が一致する前記記憶部のレコード数を計数する計数部と、前記計数部にて計数したレコード数に基づき前記紹介先の医療機関ごとに前記紹介事由に適した紹介先であるかを示す評価ポイントを付与する評価部と、前記端末からネットワークを介して前記紹介事由を受信し、当該紹介事由に関する前記評価部の評価結果を加味した医療機関情報を前記端末に対して送信するセンタ通信部を有し、
前記端末は、前記センタ装置へネットワークを介して紹介事由を送信し当該紹介事由に関する医療機関情報を受信する端末通信部と、他の医療機関への紹介事由を入力するための入力部と、前記端末通信部から受信した医療機関情報を表示する表示部を有し、
医療機関の医師が紹介先を決めるために前記紹介事由を入力すると、前記センタ装置から当該紹介事由にかかる医療機関情報を前記表示部に表示させることを特徴とした医療機関情報提供システム。
【請求項５】
更に、前記センタ通信部は、前記端末から紹介状データを受信すると前記記憶部に少なくとも紹介状作成時、紹介事由および紹介先の医療機関の各情報を前記記憶部に記憶させる請求項４に記載の医療機関情報提供システム。
【発明の詳細な説明】
【技術分野】
【０００１】
本発明は、病院、診療所など複数の医療機関が、他の医療機関に患者を紹介するための医療機関情報提供システムに関し、特に蓄積した過去の紹介状データに基づき病名・症状等に応じた適切な医療機関の情報を提供することができる医療機関評価装置および医療機関情報提供システムに関する。
【背景技術】
【０００２】
近年、医療現場では、医療技術の進歩により、一つの病院があらゆる患者に最適な医療行為を提供することは困難となりつつある。すなわち、医療技術の進歩は、医師の専門化・医療設備の高度化を促進するので、一つの医療機関が総ての分野の専門医師を配置させ、高度な医療設備を設置しておくことが困難となってきている。他方、専門の医師がその専門に必要な医療設備を持った医療機関や、気軽に病気について相談できるが高度な医療行為の実施が困難な診療所など、それぞれ特徴を備えた医療機関が増える傾向にある。
【０００３】
このため、複数の専門病院・診療所・総合病院の医療機関等が、互いに連携して適切な医療機関を患者に紹介することが行われている。こうした複数の医療機関の連携においては、診療所などの担当医師が患者を他の医療機関に紹介する場合、例えば、患者の症例などに応じて必要な検査機器を保有している病院や専門医師のいる病院に診療所の担当医師が患者を紹介していた。
【０００４】
例えば、特許文献１には、病名、診療科目、症例などについて、予め専門性の高い医療機関の情報を蓄積しておき、患者の症状に応じた医療機関を検索して合致するものを一覧表示し、医師がいずれか一つの医療機関を選択することにより、選択された医療機関に対する電子紹介状を作成するシステムが開示されている。また、特許文献２には、患者の症状に応じた医師を選定するために、さらに詳細な情報として、医師の専門分野、経験年数、オペ回数などの詳細な情報をデータとして登録しておき、検索できるようにされたシステムが開示されている。
【特許文献１】特開２００２−７３８２２号公報
【特許文献２】特開２００４−１３２６８号公報
【発明の開示】
【発明が解決しようとする課題】
【０００５】
特許文献１のシステムでは、紹介先の医療機関を医師が検索する際に、予め登録した医療機関の情報から、患者の病名に合致する医療機関の情報を得ることができるが、検索される医療機関の候補が複数選出されるのが通例である。この場合、複数選出された医療機関から最適な医療機関を医師が決めることとなるため、医師の個人的な知識等の多寡によって必ずしも最適な医療機関を決めることができないという問題がある。
【０００６】
また、特許文献２のシステムのように医師の実績、経験年数、オペ回数という付加的な情報が入力されていれば、紹介先としての医療機関の優劣を判断する材料となるが、それら付加的な情報は、各医療機関の自己申告に基づく情報であり、常に最新の情報が反映されているとは限らない。更に、自己申告の情報である以上、紹介件数を増やすために内容を偽って入力することも可能であり、客観性に欠けるという問題がある。
【課題を解決するための手段】
【０００７】
かかる課題を解決するために、第一の発明は、医療機関が他の医療機関に患者を紹介したときの紹介事由および紹介先の医療機関を一レコードとして蓄積記憶している記憶部と、紹介先の医療機関ごとに紹介事由が一致する記憶部のレコード数を計数する計数部と、計数部にて計数したレコード数に基づき紹介先の医療機関ごとに紹介事由に適した紹介先であるかを示す評価ポイントを付与する評価部を有する医療機関評価装置を提供する。
【０００８】
かかる構成により、本発明は、医療現場にて実際に行われた患者の紹介実績に基づいて医療機関の紹介先として適しているかを評価するので、医療機関の現実的な患者の紹介状況を反映させた評価が可能となる。また、第一の発明の好ましい態様としては、紹介した患者の病名および紹介目的を紹介事由に採用する。なお、ここでは、医療機関は、医療機関名、診療科、医師など種々のカテゴリを含み、紹介先を特定することが可能なレベルの用語として使用している。
【０００９】
更に、第一の発明の好ましい態様では、医療機関に設置された端末から患者を紹介したときの紹介状データを受信して記憶部に少なくとも紹介状作成日、紹介事由および紹介先の医療機関の各情報を前記記憶部に記憶させる紹介状データ取得部を有し、更に、医療機関に設置された端末から患者を紹介したときの紹介状データを受信して、記憶部に少なくとも紹介状作成日、紹介事由および紹介先の医療機関の各情報を記憶させる紹介状データ取得部を有し、計数部は、前記レコード数が所定期間に増加した紹介件数が第一の所定値以上であれば評価ポイントに加算される時間補正値を算出し、前記レコード数が所定期間に減少した紹介件数が第二の所定値以上であれば前記評価ポイントに減算される時間補正値を算出し、評価部は、前記レコード数を前記時間補正値にて加算／減算して評価ポイントを付与する。
【００１０】
かかる構成により、評価ポイントの算出にあたり、算出時点において紹介された件数が増加傾向にあれば評価ポイントが高くなり、反対に減少傾向にあれば評価ポイントが低くなる。したがって、新しい紹介状況に重点をおいて評価ができるので、より適確な評価が可能になる。
【００１１】
かかる課題を解決するために第二の発明は、紹介状データを一括管理するセンタ装置と医療機関が所持している端末がネットワークを介して接続されている医療機関情報提供システムであって、センタ装置は、医療機関が他の医療機関に患者を紹介したときの紹介事由および紹介先の医療機関を一レコードとして蓄積記憶している記憶部と、紹介先の医療機関ごとに紹介事由が一致する記憶部のレコード数を計数する計数部と、計数部にて計数したレコード数に基づき紹介先の医療機関ごとに紹介事由に適した紹介先であるかを示す評価ポイントを付与する評価部と、端末からネットワークを介して紹介事由を受信し、当該紹介事由に関する評価部の評価結果を加味した医療機関情報を前記端末に対して送信するセンタ通信部を有し、端末は、センタ装置へネットワークを介して紹介事由を送信し当該紹介事由に関する医療機関情報を受信する端末通信部と、他の医療機関への紹介事由を入力するための入力部と、端末通信部から受信した医療機関情報を表示する表示部を有し、医療機関の医師が紹介先を決めるために前記紹介事由を入力すると、センタ装置から当該紹介事由にかかる医療機関情報を表示部に表示させる医療機関情報提供システムを提供する。
【００１２】
かかる構成により、第二の発明は、センタ装置での紹介状データの集中管理により、多くのデータ数にて医療機関の紹介先として適しているかの評価を行うことが可能となるとともに、診療所などの医療機関に設置される端末にて迅速に適した医療機関に患者を紹介することが可能になる。
【００１３】
第二の発明の好適な態様では、センタ通信部は、前記端末から紹介状データを受信すると前記記憶部に少なくとも紹介状作成時、紹介事由および紹介先の医療機関の各情報を前記記憶部に記憶させる。かかる構成によれば、紹介状データを医療機関が患者を紹介する都度に医療機関の評価に必要な情報を収集できるので、評価の信頼性を向上させることができる。
【発明の効果】
【００１４】
本発明によれば、医師が患者の紹介先医療機関を検索する際に、過去の紹介実績に基づいて患者の紹介事由に応じた適切な医療機関情報を提供できる。
【発明を実施するための最良の形態】
【００１５】
以下、図を参照し、本発明を適用した医療機関情報提供システムを説明する。図１は、医療機関情報提供システムの機能ブロックを示す全体構成図である。医療機関情報提供システムは、医療機関を紹介先として評価する医療機関評価装置であるセンタ装置１と、診療所や専門病院などの医療機関（Ｈ１、Ｈ２・・・）に設置され、紹介状データの入力・紹介先の医療機関情報の表示などを行う多数の端末２がネットワーク３を介して接続されている。
【００１６】
センタ装置１は、ＣＰＵ・ＲＯＭ／ＲＡＭなどからなる情報処理部１０、キーボード・マウス・タッチパネルなどからなる入力部１１、ネットワーク３を介して端末２との通信を行う通信モジュールなどからなるセンタ通信部１２、液晶ディスプレイからなり各種情報を表示する表示部１３、ハードディスクなどからなり紹介状データなどを記憶する記憶部１４から構成されている。
【００１７】
ここで、紹介状データについて説明する。まず紹介状とは、ある医療機関が診察した患者を他の医療機関へ紹介するための書面であって、患者を特定できる情報・診察の経緯・病名・紹介目的・紹介状の作成日・紹介先の医療機関名などを記載した診療情報提供書のことである。医療機関にて紹介状を受け取った患者は、この紹介状を紹介先の医療機関に持参して医療行為を受けることになる。この紹介状は、医療機関が患者を他の医療機関に紹介する際に通常使用されているものであるから詳細な説明は省略する。
【００１８】
紹介状データは、この紹介状の内容の全部または一部を電子データ化したものである。本実施の形態においては、紹介状データには、患者を特定できる情報、紹介元の医療機関を特定できる情報、紹介先の医療機関を特定できる情報、患者の病名や症例などの患者の症状に関する情報、紹介先の医療機関への依頼事項である紹介目的情報、紹介状データの作成日（時）情報を含めている。特に、本実施の形態では、書面である紹介状を用いずにネットワークを介して端末２、センタ装置１間での紹介状データをやり取りするシステムを構築している。
【００１９】
記憶部１４は、紹介状データテーブル、評価ポイント格納テーブル、患者情報、医療機関情報、医師情報、各種プログラム等その他の情報が記憶されている。
【００２０】
先ず、紹介状データテーブルについて、図４を参照して具体的に説明する。図４は、紹介状データテーブルの内容を表形式にて示したものである。紹介状データテーブルは、紹介状データを１件１レコードとして格納したものである。
【００２１】
紹介状データテーブルは、１つの紹介状データを１単位（行）とし、紹介状ＩＤ４０１、患者ＩＤ４０２、紹介元医療機関ＩＤ４０３、紹介元診療科４０４、紹介元医師ＩＤ４０５、紹介先医療機関ＩＤ４０６、紹介先診療科４０７、紹介先医師ＩＤ４０８、病名４０９、紹介目的４１０、依頼内容４１１、紹介状作成日４１２および受診日４１３の各項目を列としている。本実施の形態では、紹介状データを１単位として１レコードを形成し、各項目であるフィールドに紹介状データの内容が格納されている。
【００２２】
ここで、各項目について説明する。紹介状ＩＤ４０１は、紹介状データごとの識別コードであって、端末２から受信する紹介状データそれぞれにセンタ装置１にてユニークに付与されたコードである。患者ＩＤ４０２は、患者を識別するための識別コードであって、センタ装置１にて患者ごとに付与されたコードである。
【００２３】
紹介元医療機関ＩＤ４０３は、紹介状を出した医療機関を識別するための識別コードであって、本システムに属する医療機関として登録する際に医療機関情報として付与されたコードである。紹介元診療科４０４は、内科・外科・脳外科などの紹介元の医療機関での診療科である。紹介元医師ＩＤ４０５は紹介した医師を識別する識別コードであって、本システムに属する医療機関の医師として登録する際に医師情報として付与されたコードである。
【００２４】
同様に、紹介先医療機関ＩＤ４０６は紹介された医療機関を識別するための識別コード、紹介先診療科４０７は内科・外科・脳外科などの紹介先の医療機関での診療科、紹介先医師ＩＤ４０８は紹介された医師を識別する識別コードである。これらも、医療機関をシステムに登録する際に医療機関情報として付与されている。
【００２５】
病名４０９は、紹介元の医師が診断した紹介する患者の病名、紹介目的４１０は入院・外来・検査など紹介元の医師が患者を紹介した目的、依頼内容４１１は紹介元の医師から紹介先の医師への具体的な紹介にあたってのコメント、紹介状作成日４１２は紹介元医療機関にて紹介状データを入力した日、受診日４１３は紹介先医療機関にて実際に患者が受診した日がそれぞれ記憶されている。
【００２６】
次に、評価ポイント格納テーブルについて説明する。評価ポイント格納テーブルは、紹介状データテーブルに格納された紹介状データに基づき後述する計数部１０２・評価部１０３にて計数・評価し、医療機関（診療科）が紹介先として適していることを示す評価ポイントを病名・目的ごとに算出して格納したものである。
【００２７】
図５は、評価ポイント格納テーブルの例を示した表である。具体的には、評価ポイント格納テーブルは、紹介事由５１、医療機関名／診療科５２、紹介件数５３、時間補正値５４、および評価ポイント５５を格納している。これらの項目の算出方法などは後述する。
【００２８】
患者情報は、患者の基礎的情報であって、患者ごとに付与された患者ＩＤに患者氏名、生年月日、性別、年齢、住所情報などを関連づけて記憶されたものである、個々の患者情報は、ネットワーク接続された医療機関のいずれかを初めて受診したときに登録される。
【００２９】
医療機関情報は、医療機関の基礎的情報であって、医療機関ごとに付与された医療機関ＩＤに医療機関名、診療科、住所、電話番号、規模（一般用、療養用など種別ごと病床数）などの情報を関連づけて記憶されたものである。医療機関情報の例を図８に示す。診療科は「内科」「外科」「脳外科」「小児科」・・・など複数存在する場合もあり、さらに各診療科に所属される医師の医師ＩＤも登録されている。
【００３０】
医療機関情報は、システム管理者等により、ネットワーク接続される医療機関の情報が登録される。また、本システムに接続されていない医療機関へ紙の紹介状を用いて紹介する場合には、紹介元の医療機関に設置した端末２を用いて、当該紹介先の医療機関の情報の登録することも可能である。
【００３１】
医師情報は、各医師に対し医師ＩＤが付与され、所属する医療機関ＩＤおよびその他の情報（氏名、年齢、資格、診察可能な診療科など）を関連づけて登録されている。医師情報も医療機関情報同様、各医療機関に所属する医師情報をシステム管理者により登録される。また各医療機関から紹介先の医療機関に所属する医師の情報を直接登録することも可能である。
【００３２】
図１に戻って、情報処理部１０について説明する。情報処理部１０は、端末２からネットワーク３を介してセンタ通信部１２が受信した紹介状データを記憶部１４の紹介状データテーブルに記憶させる紹介状データ取得部１０１と、記憶部１４の紹介状データテーブルから後述する所定条件を満たすレコードの数を計数する計数部１０２と、計数部１０２での計数結果に基づき紹介先の医療機関に評価ポイントを算出し評価ポイント格納テーブルに格納する評価部１０３を含んで構成されている。
【００３３】
計数部１０２は、例えば２４時間ごとの周期で、記憶部１４に記憶されている紹介状データテーブルを参照して、紹介先の医療機関ごとに紹介事由が一致するレコードを検索し、そのレコード数を計数する処理を行う。すなわち、紹介状データテーブルには紹介状データ１件を１レコードとして記憶されているので、計数部１０２は、紹介先の医療機関ごとに紹介事由が一致するレコード数を計数する。また、計数部１０２は、紹介事由が一致するレコードの時間的に出現したレコード数の増減件数を計数する。
【００３４】
ここで、紹介事由とは、患者の症状とその症状に対して紹介先に希望する対処を示し、本実施の形態では、患者の「病名」と「紹介目的」を紹介事由としている。「病名」とは、紹介元の医療機関の医師の診断の結果により確定した傷病名か、或いは疑わしき傷病名のことを意味するが、患者の訴える症状や、特定の臓器（例えば「循環器」）などで表現してもよい。「紹介目的」とは、紹介先の医師への依頼事項であり、「検査」「入院」等などを示す。
【００３５】
計数部１０２の処理を説明する。計数部１０２は、記憶部１４の紹介状データテーブルに記録されているレコードのうち、紹介状作成日４１２が現在から例えば１年間などの所定期間内のレコードを対象に「病名４０９−紹介目的４１０」である紹介事由が一致するレコード同士をグルーピングする。具体的には、図４の「病名」４０９と「紹介目的」４１０の双方が一致するレコード同士をグルーピングする。例えば、「肺炎−入院」のものを１グループとすると図４の紹介状ＩＤ４０１＝０００１、０００２が当該グループに分類される。
【００３６】
現在からどの程度以前のレコードを対象とするかは、季節変動による影響（例えば、夏季の猛暑時や冬季の厳寒時には患者が受診する医療機関は患者の自宅近辺に片寄るなど）を除くため、例えば過去１年分など年単位とする。なお、グルーピング対象は、受診日４１３が登録されていないレコードも含むものとする。紹介先の医療機関で受診登録がされて受診日４１３が記憶されているもののみを対象とするようにしてもよいが、その場合、本システムに接続されていない医療機関に紹介したデータは反映されないことに留意する。
【００３７】
次に、グルーピングされた各レコードについて、紹介先の医療機関ごとに紹介された件数をカウントする。ここでは紹介先医療機関ＩＤ４０６と紹介先診療科４０７が一致するレコードの件数である紹介件数をカウントするものとする。具体的には、同じグループに分類された紹介状データに対し、図４の「紹介先医療機関ＩＤ」４０６のフィールドと「紹介先診療科」４０７のフィールドの双方が一致する組み合わせごとに件数をカウントし、図５に示す記憶部１４の評価ポイント格納テーブルの紹介件数５３のフィールドに記憶する。
【００３８】
また、計数部１０２は、図６に示す時間補正値の算出処理を実行する。ここで、時間補正値とは、紹介件数の時間的な増減の傾向を表す数値指標であって、後述する医療機関に評価ポイントを決定の際に使用する補正値である。すなわち、時間補正値は、現在日を基準として過去所定期間内における紹介件数と過去のある時点を基準として、その時点よりさらに過去所定期間内における紹介件数の増減を求める。例えば月末時に、当該月度と過去数ヶ月前の月度の紹介件数を比較するようにしてもよい。本実施の形態では、時間補正値の実行時は任意とし、月度ごとの日数の相違を考慮する必要が無いよう３０日を単位として紹介件数の比較を行う例について説明する。この場合、記憶部１４の医療機関情報に休診日の情報を登録しておき、休診日を除く３０日を対象とするようにしてもよい。
【００３９】
図６のＳＴ２１では、紹介状データテーブルの病名４０９‐紹介目的４１０ごとにグルーピングした各レコードについて、現在日と紹介状作成日４１２の間隔がΔｔ（Δｔ＝３０日）以内のレコードをピックアップする。次に、ＳＴ２２で、グループごとにピックアップされた各レコードを、紹介先医療機関ＩＤ４０６／紹介先診療科４０７ごとに紹介された件数であるレコード数をカウントする。
【００４０】
同様に、ＳＴ２３、ＳＴ２４では、現在より例えば９０日前における時点を基準として、その時点より過去Δｔ以内の紹介レコードをピックアップし、各レコードにおける紹介先医療機関ＩＤ４０６／紹介先診療科４０７ごとに紹介された件数であるレコード数をカウントする。ここで、現在から遡る所定期間は、前述の急激な増加、減少の要因による変化が収束する期間によって決定される。例えばある医療機関に最新の検査機器が導入されたという情報が広まり紹介件数が増加して、月度の紹介件数が収束するのに３ヶ月程度であれば、９０日として増減を求める。
【００４１】
次にＳＴ２５では、ＳＴ２２及びＳ２４にてカウントした紹介された件数であるレコード数を紹介先医療機関ＩＤ４０６／紹介先診療科４０７ごとに、その差を算出する。  
【００４２】
ＳＴ２６では、Ｓ２５にて算出した差に基づいて、医療機関ＩＤ４０６／紹介先診療科４０７ごとに３月前３０日の紹介された件数より現時点前３０日の紹介された件数（レコード数）が所定値以上増加したか否かを判定する。この所定値は適用する医療機関の規模、全体的な紹介状データ数やΔｔのとり方に依存するが、例えば１００件に設定される。なお、本実施の形態では、件数（レコード数）の増加件数が所定値以上か否かを判定したが、これに限られるものではなく増加割合が所定値以上であるか否かを判定するようにしてもよい。
【００４３】
ＳＴ２６で所定値より大きければ（ＳＴ２６−ｙｅｓ）、ＳＴ２７で何らかの理由により紹介された件数（レコード数）が急増していると判断して、評価ポイント格納テーブルにおける当該医療機関ＩＤ４０６／紹介先診療科４０７の時間補正値に増加した紹介された件数（レコード数）を記憶する。
【００４４】
本実施の形態のように単純に増加した紹介された件数（レコード数）を記憶しても良いが、増加している度合いが大きいほど、大きな値を記憶するようにしてもよい。
【００４５】
次にＳＴ２８では、ＳＴ２５にて算出した差に基づいて、医療機関ＩＤ４０６／紹介先診療科４０７ごとに３月前３０日の紹介された件数（レコード数）より現時点前３０日の紹介された件数（レコード数）が所定値以上減少したか否かを判定する。この所定値は適用する医療機関の規模、全体的な紹介状データ数やΔｔのとり方に依存するが、例えば―１００件に設定される。なお、本実施の形態では、件数（レコード数）の差が所定値以上か否かを判定したが、これに限られるものではなく両者の比が所定値以上であるか否かを判定するようにしてもよい。
【００４６】
ＳＴ２８で所定値より小さければ（ＳＴ２８−ｙｅｓ）、ＳＴ２９では、何らかの理由により紹介された件数（レコード数）が急減している医療機関ＩＤ４０６／紹介先診療科４０７であると判断して、記憶部１４の評価ポイント格納テーブルの時間補正値に減少分の件数（レコード数）にマイナス（−）を付して記憶する。
【００４７】
本実施の形態のように単純に減少した紹介された件数（レコード数）を記憶しても良いが、減少している度合いが大きいほど、小さな値を記憶するようにしてもよい。
【００４８】
ＳＴ３０では、紹介された件数（レコード数）が急増でも急減でもない場合、すなわち、医療機関ＩＤ４０６／紹介先診療科４０７ごとに３月前３０日の紹介された件数（レコード数）より現時点前３０日の紹介された件数（レコード数）の差が１００件未満であれば、記憶部１４の評価ポイント格納テーブルの時間補正値に「０」を記憶させる。
【００４９】
図１に戻って、評価部１０３について説明する。評価部１０３は、計数部１０２での計数処理が実行され評価ポイント格納テーブルの紹介件数５３、時間補正値５４の値に基づき、評価ポイント５５を算出する。すなわち、評価部１０３の処理は、紹介された件数の多さを紹介先の適切さの指標として評価する処理を基本としつつ、時間的な紹介された件数（レコード数）の推移をも考慮して評価ポイントを算出する処理である。
【００５０】
ここで、評価ポイントについて説明する。評価ポイントとは、医療機関を紹介するにあたって、医療機関が紹介事由に対して適しているか否かを点数化したものである。特定の病名・目的に対し特定の医療機関への紹介件数が多いということは、何らかの情報に基づいてその医療機関を紹介先として選択している医師が多いということであり、当該病名・目的に対し、その医療機関で適切な処置ができるであろう信頼度が高いことを示す。診療所等の医療機関が病名に応じて患者を紹介すべき適切な医療機関を知らなかったとしても、過去の紹介件数の多さに応じて高く評価された医療機関を、適切な紹介先と推定して患者を紹介することができる。したがって、現実に紹介先となった件数が多いほど、紹介先として適している可能性が高いと評価するものが、本実施の形態における評価ポイントの基本的な考え方である。
【００５１】
更に、本評価の処理対象である１年間の間に、最新の検査機器が導入・熟練医師の赴任、或いは医療機関の新設などが生じ、特定の医療機関への紹介件数が増加、または減少した場合に、その時間的な増加／減少傾向を示す時間補正値５４を用いて、評価ポイントを補正する。れにより、所定期間内における紹介件数のみによる評価だけでなく、直近の傾向の情報をより早く医療機関の評価ポイントに反映させ、評価ポイントの高い医療機関情報を優先的に提供することにより、医療機関に対し、紹介先選択の適切な医療機関情報を提供可能となる。
【００５２】
具体的には、評価部１０３は、計数部１０２にて計数した評価ポイント格納テーブルに記憶された紹介件数５３と時間補正値５４を加算し、その結果を評価ポイントとして評価ポイント５５に記憶する。なお、本実施の形態では、時間補正値５４を計数し、紹介件数５３を時間補正値によって補正しているが、時間補正が必要なければ時間補正値に関する処理を省略することができる。
【００５３】
このような評価ポイント格納テーブルが作成は、例えば１日１回程度行われて作成される。但し、１日１回に限られるものではなく、紹介事案の発生状況や医療機関のニーズなどに応じて適宜のタイミングで作成されればよい。
【００５４】
次に、端末２について説明する。端末２は、システムに登録されている各医療機関Ｈ１・Ｈ２・・・・に設置され、各医療機関の医師などが患者を他の医療機関に紹介する際に使用される。端末２は、ＣＰＵ・ＲＯＭ／ＲＡＭ等からなり情報処理を担う端末情報処理部２０、キーボード・マウス等からなり医療機関の医師が紹介状データの入力・紹介先の検索する際に操作する入力部２１、所謂通信モジュールであってネットワーク３に接続されセンタ装置１と通信を行う端末通信部２２、液晶モニタ等で構成され医療機関の医師が紹介状データの入力・紹介先医療機関の評価結果などを表示する表示部２３から構成されている。
【００５５】
次に、医療機関情報システムの全体動作の概略を説明する。医療機関情報システムは、医療機関にて、患者を他の医療機関に紹介する必要が生じた場合に使用する。先ず、紹介元の医療機関に設置している端末２から入力部２２を操作し、センタ装置１のセンタ通信部１２へ紹介先医療機関の情報提供を要求する。この紹介先医療機関情報要求は、端末２の入力部２１から入力される紹介元の医療機関を特定できる情報、紹介元の医療機関の医師が診断した紹介する患者の病名や紹介目的である紹介事由とともに、端末通信部２２からネットワーク３を介してセンタ装置１に送信される。
【００５６】
センタ装置１では、医療機関情報要求をセンタ通信部１２から受信すると、情報処理部１０にて評価ポイント格納テーブルから紹介事由を検索キーとして検索し、評価ポイントが高い医療機関情報を特定する。特定した医療機関情報に評価ポイントを付して要求してきた端末２へ送信する。なお、実際に評価ポイントを付することなく、評価ポイントの高い順に医療機関情報を端末２に送信するようにしても良い。
【００５７】
端末２では、センタ装置１から受信した医療機関情報を表示部２３に表示し、医師が評価ポイントを参考にしつつ紹介先の医療機関を選択する。なお、評価ポイントが直接送信されない場合は、評価ポイントの高い順に医療機関情報を受信することとなるので同様に適正な医療機関を選択することができる。
【００５８】
紹介元の医療機関の医師は、紹介状データを端末２の入力部２１から表示部２３を見ながら総ての項目を入力し、センタ装置１へ端末通信部２２からネットワーク３を介して送信する。
【００５９】
センタ装置１では、この紹介状データをセンタ通信部１２から受信すると、情報処理部１０の紹介状データ取得部が紹介状データを記憶部１４の紹介状データテーブルに１レコードとして追加登録するとともに、紹介元医療機関には登録完了の旨・紹介先医療機関には紹介された旨を通知する。
【００６０】
医療機関情報提供システムの全体動作の詳細について、紹介元医療機関をＨ１、紹介先医療機関をＨ２として、医療機関Ｈ１から医療機関Ｈ２に患者を紹介する手順を例に説明する。
【００６１】
医療機関Ｈ１に設置された端末５において医師がＷｅｂブラウザ等を使ってセンタ装置１にアクセスし、紹介状作成のためのアプリケーションを起動する。センタ装置１にアクセスするときは、医療機関ごとに登録されたＩＤとパスワードなどを用いて認証を行う。
【００６２】
図２は、端末５のアプリケーションを起動すると表示部２３の画面上に表示される紹介状作成画面の一例である。図２に示される画面は医師が紹介状作成のために必要事項を入力するためのものであり、画面左側はａ１〜ａ４の領域に分割され、各々紹介患者、紹介元医療機関、紹介内容、紹介先医療機関の情報を医師が入力するための入力フォームと押下すると所定の動作を実行するようにプログラミングされている表示ボタンが用意されている。
【００６３】
先ず、医師は、紹介する患者に関する患者情報を入力する。すなわち、図２の領域ａ１において、紹介する患者情報である氏名・性別・生年月日・患者ＩＤ・電話番号・住所の一部または総てについて入力部２１を操作して入力し、最後に患者検索ボタンｂ１を押下する。
患者検索ボタンｂ１を押下すると、端末通信部２２からセンタ装置１へネットワーク３を介して入力した患者の情報とともに、患者情報がセンタ装置１の記憶部１４に登録されているかの検索要求を送信する。
【００６４】
センタ装置１では、受信した患者情報に基づき記憶部１４の患者情報を検索し、既に登録されていれば、当該患者の登録内容を端末２に返信する。他方、該当する患者情報が記憶部１４に登録されていない場合は、登録が無い旨を端末２に返信する。
【００６５】
端末２では、センタ装置１から登録内容を受信すると、表示部２３の画面における領域ａ１の入力フォームに登録内容が表示される。他方、登録が無い旨を端末２が受信すると、患者登録ボタンｂ２を押下して、新規の患者登録を行う。患者登録ボタンｂ２を押下すると図３の患者登録画面が別ウィンドウで表示さる。なお、センタ装置１から受信した登録内容に変更が生じている場合は、患者登録ボタンｂ２を押下して、患者上方の変更登録を行う。
【００６６】
新規の患者登録は、図３に示す氏名・性別・生年月日・電話番号・住所を入力フォームａ７に入力し、最後に新規登録ボタンｂ６を押下する。新規登録ボタンｂ６を押下すると、端末通信部２２からセンタ装置１へネットワーク３を介して入力した患者の情報とともに、患者情報がセンタ装置１の記憶部１４に登録要求を送信する。
【００６７】
センタ装置１では、送信した患者の情報が記憶部１４の患者情報を登録し、この際に患者ごとにユニークに患者ＩＤを付与する。そして、登録した内容を端末２に返信する。
【００６８】
端末２では、センタ装置１から登録内容を受信すると、表示部２３の画面における領域ａ１の入力フォームに患者ＩＤを含めて登録内容が表示される。なお、患者情報の変更の際は、変更登録ボタンｂ７を押下する以外は同様な処理を行う。
【００６９】
次に、医師は、図２の領域ａ２の紹介元医療機関情報である医療機関名・診療科・医師について入力部２１を操作して入力する。これらの項目は、センタ装置１の記憶部１４に予め医療機関情報として登録されているので、端末２の識別コードや医療機関ＩＤ等を利用して自動的にセンタ装置１から取得してもよい。複数の診療科で端末５を共有している場合などは、診療科等の候補リストを表示して選択して入力できるようにしてある。例えば、診療科の入力フォームを選択すると、当該医療機関の診療科リストが診療科ドロップダウンリストに表示され、さらに医師の入力フォームを選択すると、当該診療科に所属する医師が、医師ドロップダウンリストに表示され選択可能となるにしてある。
【００７０】
次に、医師は、図２の領域ａ３の患者を紹介する際に必要な紹介内容について、入力部２１を操作して入力する。領域ａ３では紹介先の医療機関を検索するために、患者の紹介事由として、病名および紹介目的を入力する。病名は、病名入力フォームを選択すると病名候補がドロップダウンリストに表示されるので該当する病名を選択し、紹介目的も同様にドロップダウンリストから該当する紹介目的を選択する。病名は、例えば、予め登録された「頭痛」、「腹痛」、「骨折」などのリストから選択し、紹介目的は「外来」、「入院」、「検査」、「リハビリ」などから選択する。依頼内容には、医師のコメント、特記事項などを入力する。
【００７１】
紹介内容を入力した後、医療機関検索ボタンｂ３を押下すると、端末通信部２２からセンタ装置１へネットワーク３を介して入力した紹介内容とともに、センタ装置１の記憶部１４に紹介先として適している医療機関情報の要求信号を送信する。
【００７２】
センタ装置１では、紹介先として適した医療機関情報の要求信号をセンタ通信部１２にて受信すると、情報処理部１０にて記憶部１４に記憶された評価ポイント格納テーブルを検索する検索処理を実行する。すなわち、受信した病名および紹介目的である紹介事由が合致する医療機関情報（診療科まで含めて）を評価ポイント格納テーブルの紹介事由５１から抽出する。また、医療機関名／診療科５２から医療機関を特定し、記憶部１４に記憶されている医療機関情報から所在地・電話番号・医師などの情報を取得する。そして、抽出された紹介先の医療機関情報をセンタ通信部１２から端末２へ送信する。この際、抽出された医療機関が多数の場合には、評価ポイント５５の上位１０機関の紹介先の医療機関情報のみを送信するようにしてもよい。また、送信される紹介先の医療機関情報には、医療機関名・診療科・所在地・電話番号・医師・評価ポイントが含まれている。
【００７３】
端末２では、端末通信部２２から受信した医療機関情報を端末情報処理部２０にて評価ポイントが高い順に表示部２３の図２に示す画面の右側の領域ａ５にリスト表示する。更に、評価ポイントが最も高い医療機関については、領域ａ４に自動的に入力される。
【００７４】
領域ａ５に表示される紹介先の医療機関リストの任意の行を選択すると、選択された医療機関・診療科・医師が領域ａ４の入力フォームに入力される。
【００７５】
紹介元の医師は、この表示部２３の表示画面を見て、紹介事由に対応可能な医療機関について評価ポイントを含めて検討し、患者の紹介先の医療機関を選択できる。したがって、紹介元の医師が紹介先の医療機関を良く知らない場合であっても、適切な医療機関に患者を紹介することができる。
【００７６】
その他、紹介元の医師は、自身が知っている医療機関に患者を紹介する場合は、自ら領域ａ４のプルダウンリストから該当する医療機関を選択するようにしても良い。これは、新しくシステムに入った医療機関や新規に施設を整えた医療機関などを紹介する場合に有効である。なお、プルダウンリストは、予めセンタ装置１から登録されている医療機関情報を総て取得しておいても良いし、必要性が生じた際にセンタ装置１から取得するようにしても良い。
【００７７】
このようにして、領域ａ１〜ａ４に紹介状データを入力した後に、紹介状作成完了ボタンｂ５を押す。端末情報処理部２０は、端末通信部２２から紹介状データをセンタ装置１に送信される。
【００７８】
センタ装置１では、この紹介状データをセンタ通信部１２から受信すると、紹介状データ取得部１０１にて、記憶部１４の紹介状データテーブルに紹介状作成日情報とともに登録する。すなわち、紹介状データ取得部１０１は、紹介状データテーブルに、受信した紹介状データに紹介状ＩＤを付与し、患者ＩＤ、医療機関ＩＤ、診療科名、病名、紹介目的などの紹介状の各項目を１レコードとして記録する。そして、センタ装置１は、紹介状データテーブルに該紹介状データが登録されると、登録完了の旨を紹介元の端末２に送信する。
【００７９】
更に、センタ装置１は、紹介先医療機関で指定された医療機関の端末２に紹介状ＩＤを含んだ電子メールにて紹介状データが発生したことを通知する。紹介先医療機関では、端末２からセンタ装置１に接続し、紹介状ＩＤ４０１に基づいて、センタ装置１の記憶部１４に格納されている紹介状データテーブルから該当する紹介状データを抽出し、紹介先医療機関で紹介内容の詳細を閲覧することが可能となる。
【００８０】
紹介元の医療機関では、端末２にて紹介状データが登録されたことを確認すると、患者に紹介先の医療機関名・所在地・医師名・紹介状データＩＤなどを口頭または書面にて伝える。紹介を受けた患者は、紹介先の医療機関にて診察を受けることになる。
【００８１】
紹介先の医療機関にて患者が受診し、紹介先の紹介先医療機関Ｈ２の端末２から医師がセンタ装置１に受診した旨を登録すると、センタ装置１は、紹介状データテーブルの受診日４１３に登録する。
【００８２】
本実施の形態では、紹介先の医療機関の選択条件として、紹介事由である病名と紹介目的にて紹介先の医療機関を絞り込んでいるが、これに限られることなく、専門設備の有無、医療機関の規模、医療機関の地理的条件などにて紹介先医療機関を絞り込むようにしてもよい。
【００８３】
本実施の形態では、紹介状作成の際に使用する場合にて説明したが、これに限られることなく、患者の病名・目的を入力して、適した医療機関情報を検索して提供するシステムとしてもよい。  
【００８４】
本実施の形態では、紹介された件数（レコード数）をそのまま使用した例について説明したが、時期や季節により重みを考慮した値としてもよい。例えば、新しい紹介状データほど評価ポイントを高くするように重みを付けたり、夏季や冬季の評価ポイントを低くするようにしてもよい。
【００８５】
本実施の形態では、紹介件数と時間補正値を計数部にて同じタイミングで計数したが、これに限らず、紹介件数と時間補正値の計数するタイミングを異ならせてもよい。
【００８６】
本実施の形態では、センタ装置１から評価ポイントを付して端末２に医療機関情報を送信したが、これに限らず、評価ポイントを付することなく、予め評価ポイントの大きい順に並べ替えた医療機関情報を端末２へ送信し、端末２にて当該順番にしたがって表示部２３に表示させてもよい。
【００８７】
センタ通信部、情報処理部、記憶部は単一のサーバコンピュータ上で実現することが可能であるが、複数のサーバ上で動作するようにしてもよいことは言うまでもない。
【００８８】
本実施の形態では、紹介件数と時間補正値を併用した例で説明したが、紹介件数のみを用いて評価ポイントとしても良いし、時間補正値をもって評価ポイントとするようにしても良い。また、評価ポイントは各医療機関に対し付与してもよいし、各医療機関の診療科を特定して付与するようにしてもよい。
【図面の簡単な説明】
【００８９】
【図１】本発明を適用した紹介状管理支援システムの機能ブロック図を示したものである。
【図２】紹介状入力画面を示したものである。
【図３】患者情報の登録画面を示したものである。
【図４】紹介状データテーブルを示したものである。
【図５】評価ポイント格納テーブルを示したものである。
【図６】時間補正値の算出処理のフローチャートである。
【図７】医療機関情報の例である。
【符号の説明】
【００９０】
１          センタ装置
１１          入力部
１２          センタ通信部
１３          表示部
１４          記憶部
１０          情報処理部
１０１          紹介状データ取得部
１０２          計数部
１０３          評価部
２          端末
２０          端末情報処理部
２１          入力部
２２          端末通信部
２３          表示部
３          ネットワーク
【図１】
2008108077.tif 000003
【図２】
2008108077.tif 000004
【図３】
2008108077.tif 000005
【図４】
2008108077.tif 000006
【図５】
2008108077.tif 000007
【図６】
2008108077.tif 000008
【図７】
2008108077.tif 000009